(57)【要約】【課題】情報提供サーバなどにおいて、情報の提供を受けるユーザごとの提供情報に対する使用権限の設定に関し、冗長性を排して、簡潔に設定できるようにする。【解決手段】ユーザ情報を格納するユーザ情報データベース２２と、情報提供データベース２１に登録された提供情報のＩＤ群と、提供情報の使用形態を特定する機能を表わすＩＤ群とからなる管理情報を格納する管理情報データベース２３と、ユーザ情報に基づいてユーザ情報データベース２２を検索してそのユーザに割り当てられた管理情報ＩＤを取得し、取得した管理情報ＩＤに基づいて管理情報データベース２３を検索してそのユーザが使用可能な提供情報及びその提供情報の使用方法を特定する情報提供サーバ制御部２４と、を設ける。【選択図】      図１
2004362229.tif 000002
【特許請求の範囲】
【請求項１】
ユーザの要求に応じて情報を提供する情報提供サーバと、前記ユーザが前記情報提供サーバと情報交換を行うための情報端末とを有する情報提供システムにおける情報使用権限管理方法であって、
前記情報提供サーバに登録された提供情報のＩＤ群と、提供情報の使用形態を特定する機能を表わすＩＤ群とからなる管理情報をデータベースに格納し、
前記情報提供サーバは、提供情報を使用しようとするユーザのユーザ情報と前記管理情報とを関連付けることにより、前記ユーザが使用可能な提供情報及び該提供情報の使用方法を特定する、
情報使用権限管理方法。
【請求項２】
前記管理情報をユーザの所属するグループ情報にも関連付けることにより、当該グループに所属する全ユーザに対して、一括して関連付け及び関連付け解除を行うようにした、請求項１に記載の情報使用権限管理方法。
【請求項３】
複数の情報提供を格納しユーザの要求に応じて情報を提供する情報提供サーバと、前記ユーザが前記情報提供サーバと情報交換を行うための情報端末とを有する情報提供システムにおける情報使用権限管理システムであって、
ユーザ情報を格納するユーザ情報データベースと、
前記情報提供サーバに登録された提供情報のＩＤ群と、提供情報の使用形態を特定する機能を表わすＩＤ群とからなる管理情報を格納する管理情報データベースと、
ユーザ情報に基づいて前記ユーザ情報データベースを検索して当該ユーザに割り当てられた管理情報ＩＤを取得し、取得した管理情報ＩＤに基づいて前記管理情報データベースを検索して当該ユーザが使用可能な提供情報及び該提供情報の使用方法を特定する制御部と、
を有する、情報使用権限管理システム。
【請求項４】
前記ユーザ情報データベースは、ユーザが所属するグループに対して割り当てられた管理情報ＩＤも保持し、
前記制御部は、前記ユーザが属するグループに割り当てられた管理情報ＩＤも取得し、前記ユーザが属するグループに割り当てられた管理情報ＩＤによっても前記管理情報データベースを検索する、請求項３に記載の情報使用権限管理システム。
【請求項５】
コンピュータを、
ユーザ情報を格納するユーザ情報データベース手段、
情報提供サーバに登録された提供情報のＩＤ群と、提供情報の使用形態を特定する機能を表わすＩＤ群とからなる管理情報を格納する管理情報データベース手段、
ユーザ情報に基づいて前記ユーザ情報データベース手段を検索して当該ユーザに割り当てられた管理情報ＩＤを取得し、取得した管理情報ＩＤに基づいて前記管理情報データベース手段を検索して当該ユーザが使用可能な提供情報及び該提供情報の使用方法を特定する制御手段、
として機能させるプログラム。
【請求項６】
コンピュータを、
ユーザ情報とユーザが所属するグループに関する情報を格納するユーザ情報データベース手段、
情報提供サーバに登録された提供情報のＩＤ群と、提供情報の使用形態を特定する機能を表わすＩＤ群とからなる管理情報を格納する管理情報データベース手段、
ユーザ情報に基づいて前記ユーザ情報データベース手段を検索して当該ユーザに割り当てられた管理情報ＩＤを取得するとともに、ユーザが所属するグループに割り当てられた管理情報ＩＤを取得し、取得した管理情報ＩＤに基づいて前記管理情報データベース手段を検索して当該ユーザが使用可能な提供情報及び該提供情報の使用方法を特定する制御手段、
として機能させるプログラム。
【請求項７】
コンピュータが読み取り可能な記録媒体であって、請求項５または６に記載のプログラムを格納した記録媒体。
【発明の詳細な説明】
【０００１】
【発明の属する技術分野】
本発明は、情報使用権限管理方法、情報使用権限管理システム及び情報使用権限管理プログラムを格納した記録媒体に関し、特に、コンピュータによって実現される情報提供システムを利用してユーザが参照、編集、登録等の情報に対する操作を行うための、使用権限管理方法、使用権限管理システム、使用権限管理プログラム及び該プログラムを格納した記録媒体に関する。
【０００２】
【従来の技術】
コンピュータ及びコンピュータネットワークの浸透に伴って、電子化された情報、例えばＷＷＷ（ｗｏｒｌｄ  ｗｉｄｅ  ｗｅｂ）で用いられるハイパーテキスト文書や、映像、音声等をコンピュータ及びコンピュータネットワークを介して提供する情報提供サービスが広く普及してきた。こうして、ネットワークを介して提供される情報が増加するなかで、情報提供者側では、その情報提供サービスを享受するユーザがそれらの情報に対してどこまで、あるいはどのような形で使用可能とするか、すなわち情報に対するユーザ（情報受給者）の使用権限を効率的に管理する必要がある。これは例えば、提供者が映像コンテンツを所有している場合、この映像コンテンツを閲覧しても良いのは誰か、編集や削除を行っても良いのは誰かといった情報を、多数のコンテンツ、多数のユーザに対して、情報提供者が把握し、管理することを意味する。以下、情報提供サービスを介してユーザに提供される情報のことを提供情報と呼ぶ。
【０００３】
これまで提供情報の使用権限の管理については、一般に、Ｗｉｎｄｏｗｓ（Ｒ）やＬｉｎｕｘといったオペレーティングシステム（ＯＳ）におけるファイル管理方法をそのまま応用する場合が多かった。Ｌｉｎｕｘにおけるファイル管理方法の一例が、非特許文献１に示されている。この方法では、ファイルすなわち提供情報自体が、（ｕ）所有者、（ｇ）所属グループ、（ｏ）その他、というユーザ区分ごとに、（ｒ）読み出し、（ｗ）書き込み、（ｘ）実行という使用権限属性を管理情報として保持し、これを各ユーザのユーザ情報（所属グループ情報を含む）と比較することにより、そのユーザがそれぞれのファイル（提供情報）に対して行うことのできる操作を特定する。
【０００４】
なお、実際の情報提供システムでは、その提供する情報の種別によって、使用権限属性の内容が変化する場合がある。
【０００５】
【非特許文献１】
ＨＯＷＴＯ：ファイルとファイルシステムのセキュリティ、［ｏｎｌｉｎｅ］、［２００３年５月９日検索］、インターネット＜ＵＲＬ：  ｈｔｔｐ：／／ｗｗｗ．ｌｉｎｕｘ．ｏｒ．ｊｐ／ＪＦ／ＪＦｄｏｃｓ／Ｓｅｃｕｒｉｔｙ−ＨＯＷＴＯ−５．ｈｔｍｌ＞
【０００６】
【発明が解決しようとする課題】
ＯＳにおける一般的なファイル管理方法をそのまま適用したような使用権限管理方法では、ユーザや情報ごとに非常に柔軟に使用権限を設定できる一方で、全ての提供情報（前述の例ではファイル）について、一律の項目として定められている使用権限属性を付与することになるため、管理情報が冗長になるという問題点がある。例えば、ある提供情報が機能的に読み出ししか対応していないとしても（実行や書き込みが原理的に不可能な場合であっても）、他の提供情報と同様に、書き込みや実行といった属性の状態についても管理しなければならない。同様に、使用権限をより詳細に管理しようとする場合（例：読み出し、書き込み、実行の各権限に加えて、コピーという権限を追加する）でも、それぞれの提供情報にとってそのような追加の権限が有意味であるかどうかにかかわらず、全ての提供情報について属性設定を一律にふり直す必要があり、やはり冗長さを増加させる。さらには、提供情報に付属する管理情報（使用属性権限）と、ユーザ情報、所属グループ情報との結びつきは強く複雑であり、また各々の情報の変更による影響を受けやすいために、管理情報の把握が難しく、管理作業が非常に複雑化するといった問題もある。
【０００７】
本発明は、冗長性を排し、提供情報に対する使用権限のより簡潔で直感的な管理を可能とする情報使用権限管理方法、情報使用権限管理システム、情報使用権限管理プログラム及び該プログラムを格納した記録媒体を提供することを目的とする。
【０００８】
【課題を解決するための手段】
本発明の情報使用権限管理方法は、ユーザの要求に応じて情報を提供する情報提供サーバと、ユーザが前記情報提供サーバと情報交換を行うための情報端末とを有する情報提供システムにおける情報使用権限管理方法であって、情報提供サーバに登録された提供情報のＩＤ群と、提供情報の使用形態を特定する機能を表わすＩＤ群とからなる管理情報をデータベースに格納し、情報提供サーバは、提供情報を使用しようとするユーザのユーザ情報と管理情報とを関連付けることにより、ユーザが使用可能な提供情報及びその提供情報の使用方法を特定する。
【０００９】
本発明の情報使用権限管理システムは、複数の情報提供を格納しユーザの要求に応じて情報を提供する情報提供サーバと、前記ユーザが情報提供サーバと情報交換を行うための情報端末とを有する情報提供システムにおける情報使用権限管理システムであって、ユーザ情報を格納するユーザ情報データベースと、情報提供サーバに登録された提供情報のＩＤ群と、提供情報の使用形態を特定する機能を表わすＩＤ群とからなる管理情報を格納する管理情報データベースと、ユーザ情報に基づいてユーザ情報データベースを検索してそのユーザに割り当てられた管理情報ＩＤを取得し、取得した管理情報ＩＤに基づいて管理情報データベースを検索してそのユーザが使用可能な提供情報及びその提供情報の使用方法を特定する制御部と、を有する。
【００１０】
すなわち本発明は、提供情報の使用権限管理において、提供情報のＩＤ群と、その使用形態を特定する機能を示すＩＤ群の２種の情報を組み合わせた、独立した管理情報を用意し、これをユーザ情報（あるいは所属グループ情報）と関連付けることにより、ユーザごとの使用権限に関し、冗長性を排した、より簡潔で直感的な管理を可能とするものである。
【００１１】
【発明の実施の形態】
次に、本発明の好ましい実施の形態について、図面を参照して説明する。図１は本発明の実施の一形態の情報使用権限管理システムの構成を示すブロック図である。
【００１２】
本実施形態の情報使用権限管理システムは、ユーザからの要求に応じてユーザに対して情報を提供する情報提供サーバ１０に実装されるものである。情報提供サーバ１０は、ネットワーク１１を介して、ユーザ側の情報端末１２と接続しており、ユーザは、情報端末１２を介して情報提供サーバ１０と情報交換を行えるようになっている。なお、ネットワークを介さずに情報提供サーバ１０に対してユーザの情報端末１２が直接接続していてもよいし、物理的には同一のコンピュータシステム上に論理的には別個に情報提供サーバ１０と情報端末１２が設けられるようにしてもよい。
【００１３】
情報提供サーバ１０には、複数の提供情報を格納した提供情報データベース（ＤＢ）２１と、ユーザ情報を格納したユーザ情報データベース２２と、提供情報データベース２１に登録された提供情報のＩＤ群と、それらの提供情報の使用形態を特定する機能を表わすＩＤ群の２種の情報から構成される管理情報を格納する管理情報データベース２３と、ユーザに対する情報提供を制御する情報提供サーバ制御部２４とが設けられている。ここで提供情報のＩＤ（情報ＩＤ）は、提供情報データベース２１においてその格納されている提供情報ごとに付されたものである。
【００１４】
情報提供サーバ制御部２４では、使用形態を特定する機能を表わすＩＤ（機能ＩＤ）に応じて提供情報データベース２１へのアクセスの形態を制御する機能を有し、管理情報データベース２３に格納された管理情報をユーザ情報データベース２２内のユーザ情報に関連付けることにより、各ユーザごとにそのユーザが使用可能な提供情報とその提供情報の使用方法を特定し、あるユーザから提供情報に対する要求があった場合には、その特定された使用方法にしたがってそのユーザが提供情報データベースに対してアクセスすることを許可する。さらに、情報提供サーバ制御部１０は、通常のユーザ認証などの処理も行う。ユーザ情報データベース２２では、ユーザごとにユーザＩＤが付与されているとともに、各ユーザに割り当てられた管理情報ＩＤが記録されている。ここで管理情報ＩＤは、管理情報データベース２３における機能ＩＤと情報ＩＤとの組を特定するものであり、ユーザに割り当てられた管理情報ＩＤに基づいて管理情報データベース２３を検索することにより、そのユーザが使用可能な情報提供と使用形態とが把握できるようになっている。ユーザは複数の管理情報ＩＤを割り当てられることができる。また、所属するグループでの管理も行う場合には、ユーザグループごとに、グループＩＤとそのグループに割り当てられた管理情報ＩＤとがユーザ情報データベース２２に登録される。
【００１５】
次に、この情報提供サーバにおける情報使用権限管理の手順について、図２を用いて説明する。ここでは、個々のユーザごとの情報使用権限を管理する場合を説明する。
【００１６】
まず、ユーザが情報端末１２を介して情報提供サーバ１０にログインすると、そのログインは情報提供サーバ制御部２４によって受け付けられ（ステップ１０１）、情報提供サーバ制御部２４は、ユーザ情報データベース２２に対して認証情報検索を行い（ステップ１０２）、ユーザ情報データベース２２から認証情報を取得する（ステップ１０３）。これによって、ユーザ認証が完了する（ステップ１０４）。
【００１７】
ユーザ認証の完了後、情報提供サーバ制御部２４は、ユーザ情報データベース２２に対してそのユーザに割り当てられた管理情報ＩＤの検索を行い（ステップ１０５）、ユーザ情報データベース２２から割り当て済みの管理情報ＩＤに関する情報を取得し（ステップ１０６）、これによって、ユーザに割り当てられた管理情報ＩＤを特定する（ステップ１０７）。その後、情報提供サーバ制御部２４は、管理情報ＩＤにしたがって管理情報データベース２３を検索して（ステップ１０８）、管理情報ＩＤに応じた機能ＩＤと教材ＩＤの組を取得する（ステップ１０９）。これにより、そのユーザが使用可能な提供情報とその使用形態が特定されたことになるから（ステップ１１０）、情報提供サーバ２４は、特定した内容に応じて、提供情報データベース２１内の提供情報のそのユーザによる使用を許可する。
【００１８】
次に、ユーザの所属グループに応じた情報使用権限の管理について、図３を用いて説明する。
【００１９】
図２に示した場合と同様に、まず、ユーザが情報端末１２を介して情報提供サーバ１０にログインすると、そのログインは情報提供サーバ制御部２４によって受け付けられ（ステップ１０１）、情報提供サーバ制御部２４は、ユーザ情報データベース２２に対して認証情報検索を行い（ステップ１０２）、ユーザ情報データベース２２から認証情報を取得する（ステップ１０３）。これによって、ユーザ認証が完了する（ステップ１０４）。
【００２０】
ユーザ認証の完了後、情報提供サーバ制御部２４は、ユーザ情報データベース２２に対してそのユーザ単位に割り当てられた管理情報ＩＤの検索を行い（ステップ１１１）、ユーザ情報データベース２２から割り当て済みの管理情報ＩＤに関する情報を取得する（ステップ１１２）。さらに、情報提供サーバ制御部２４は、ユーザ情報データベース２２に対し、そのユーザが属するグループ単位に割り当てられた管理情報ＩＤの検索を行い（ステップ１１３）、ユーザ情報データベース２２から割り当て済みの管理情報ＩＤに関する情報を取得する（ステップ１１４）。ユーザ単位で割り当てられた管理情報ＩＤと所属グループ単位での割り当てられた管理情報ＩＤとで重複する場合があるので、情報提供サーバ制御部２４は、重複する管理情報ＩＤを除去し（ステップ１１５）、すなわち重複する管理情報ＩＤについては１つのみが残されて重複が解消されるようにする。これによって情報提供サーバ制御部２４は、ユーザに割り当てられた全ての管理情報ＩＤ（ユーザ単位で割り当てられた管理情報ＩＤと所属グループ単位で割り当てられた管理情報ＩＤ）を特定する（ステップ１１６）。その後は、図２のステップ１０８からの処理を行い、そのユーザが使用可能な提供情報とその使用形態が特定される。
【００２１】
次に、上述した本実施形態の情報使用権限管理システムのより具体的な例を説明する。ここでは、情報提供サーバ１０が学習教材を提供する学習サーバ１３であるとする。この学習サーバ１３には、提供情報データベースとして学習教材データベース２５が設けられており、情報提供サーバ制御部２４として学習サーバ制御部２６が設けられている。学習教材データベース２５は、提供情報である教材を格納しており、教材には、情報ＩＤとしての教材ＩＤが付与されている。また、教材（提供情報）の使用形態を特定する機能として、学習（機能ＩＤ：ａ）と編集（機能ＩＤ：ｂ）が設定されているものとする。
【００２２】
このような学習サーバ１３に対するユーザは、学習者と教師の２通りが考えられる。学習者となるユーザは、情報端末１２を介して学習サーバ（情報提供サーバ）１３にアクセスし、利用可能な学習教材を指定して、学習を実行する。一方、教師となるユーザは、前述の学習者と同等の学習状況に加え、学習教材の登録、編集、削除や、学習者に対する学習教材の割り当てを行う。この時、この学習サーバ１３では、以下のような動作により、各ユーザ毎の提供情報への使用権限を特定する。
【００２３】
まず、図４に示すように、ユーザＩＤ：１を持つ学習者が、情報端末１２を介して学習サーバ１３に認証を受けると、学習サーバ制御部２６は、ユーザ情報データベース２２から、そのユーザに割り当てられた管理情報ＩＤを全て検索し、取得する（図４に示す例では管理情報ＩＤ：１が割り当てられている）。次に、学習サーバ制御部２６は、取得された割り当て済み管理情報ＩＤから、管理情報データベース２３を検索し、その管理情報ＩＤが示す機能ＩＤ、教材ＩＤを取得する。この２つのＩＤにより、この学習者（ユーザＩＤ：１のユーザ）が、どの教材を（図４では教材ＩＤ：１の教材）、どのように使用できるか（図４では機能ＩＤ：１の機能（学習実行））が特定され、学習者は実際に学習を開始することが可能となる。
【００２４】
一方、図５に示すように、ユーザＩＤ：２を持つ教師が、情報端末１２を介して学習サーバ１３に認証を受けると、学習サーバ制御部２６は、ユーザ情報データベー２２から、そのユーザに割り当てられた管理情報ＩＤを全て検索し、取得する（図５に示す例では管理情報ＩＤ：１と２が割り当てられている）。次に、取得された割り当て済み管理情報ＩＤから、管理情報データベース２３を検索し、その管理情報ＩＤが示す機能ＩＤ、教材ＩＤを取得する。この２つのＩＤにより、この学習者（ユーザＩＤ：２のユーザ）が、どの教材を（図５では教材ＩＤ：１の教材）、どのように使用できるか（図５では機能ＩＤ：１と２の機能（学習実行、及び教材編集））が特定され、教師は学習者同様に教材を学習開始できることに加えて、同数材に編集を加えることも可能となる。
【００２５】
図６に、特定のユーザに対して管理情報を割り当てる際の画面例を示す。この例では、「Ａさん」というユーザに対して、「学習：教材３」というラベル名で示された管理情報を割り当てている。「学習：教材３」は、教材ＩＤ：３の教材を学習可能であるという管理情報であり、これを割り当てられることにより、学習者は実際に教材３を学習可能となるが、教材３に対するそれ以外の操作、例えば編集を行うことはできない。教材３が編集可能となるためには、「編集：教材３」というラベル名で示された管理情報を割り当てられる必要がある。なお、図６では、管理情報ではなく教材の割り当てと表記しているが、これは便宜的な表現であり、実際には教材ＩＤではなく、管理情報ＩＤを割り当てている。
【００２６】
以上のような特定のユーザに対する使用権限の特定と同様に、ユーザが属するグループの単位においても、使用権限を付与することが可能である。図７に示すように、ユーザＩＤ：１、グループＩＤ：１を持つ学習者が、情報端末１２を介して学習サーバ１３に認証を受けると、学習サーバ制御部２６は、ユーザ情報データベース２２から、そのユーザに割り当てられた管理情報ＩＤ、およびユーザの所属するグループ（グループＩＤ：１）に割り当てられた管理情報ＩＤを全て検索し、取得する（図７に示す例では、ユーザ個人には管理情報ＩＤ：１が、所属グループには管理情報ＩＤ：３がそれぞれ割り当てられている）。次に、取得された割り当て済み管理情報ＩＤから、学習サーバ制御部２６は、管理情報データベース２３を検索し、その管理情報ＩＤが示す機能ＩＤ、教材ＩＤを取得する。この２つのＩＤにより、この学習者（ユーザＩＤ：１のユーザ）が、どの教材を（図７に示す例では教材ＩＤ：１、および教材ＩＤ：２の教材）、どのように使用できるか（図７では機能ＩＤ：１の機能（学習実行））が特定され、学習者は実際に学習を開始することが可能となる。なおこれは、ユーザが複数のグループに所属する場合においても同様であり、所属する全てのグループに割り当てられた管理情報ＩＤが、ユーザ個人に割り当てられた管理情報ＩＤと同様に、検索・取得され、それぞれの機能ＩＤに基づいて利用可能となる。
【００２７】
図８に、所属グループに対して管理情報を割り当てる際の画面例を示す。この例では、「○年×組」というグループに対して、「学習：教材３」というラベル名で示された管理情報を割り当てている。「学習：教材３」は、教材ＩＤ：３の教材を学習可能であるという管理情報であり、これを割り当てられることにより、「○年×組」に所属する全学習者（ユーザ）は、個人に対する割り当ての有無と関係なく、教材３を学習可能となるが、図６で述べたユーザごとの場合と同様、教材３に対するそれ以外の操作、例えば編集を行うことはできない。教材３が編集可能となるためには、「編集：教材３」というラベル名で示された管理情報を割り当てられる必要がある。なお、図８でも図６と同様、管理情報ではなく教材の割り当てと表記しているが、これは便宜的な表現であり、実際には教材ＩＤではなく、管理情報ＩＤを割り当てている。
【００２８】
以上のように、本実施形態では、各ユーザあるいは各ユーザ所属グループへの管理情報ＩＤの割り当て、すなわちどの教材をどのように使用できるかという指定の仕方に応じてユーザごとに提供情報の使用権限を変化させることができる。各ユーザへの管理情報ＩＤの割り当てを行う機能そのものについても、上述と同様にして、特定のユーザに対してのみ許可するといった設定が可能である。すなわち図９に示すように、管理情報の割り当て機能もまた、教材を特定しない機能として（場合によっては、対象とする教材を特定することもできる）、他の「教材学習」、「編集」などの機能と同様に、ユーザごとに割り当てることができる。例えば、図６に示すようなユーザ個人への教材の割り当て、あるいは図８のような所属グループへの教材の割り当てを行うことのできるユーザを限定することが可能となる。
【００２９】
なお、以上に述べてきた実施形態では、最も単純に、単一の機能ＩＤおよび情報ＩＤ（教材ＩＤ）との組み合わせによって管理情報が構成されていたが、それぞれ複数のＩＤにより構成される場合もある。そのような場合には、情報提供サーバ（学習サーバ）は、複数の機能を連係動作させる（例えば、教材学習時にメモの書き込みを可能にする、オンライン辞書を利用可能にするなど）、複数の提供情報（教材）を組み合わせて使用する（特定の目的に対して、複数の教材から再構成したカスタマイズ教材を実現するなど）、あるいはその両者を同時に行うといった、提供情報の複雑な使用形態を定義し、実行することになる。しかし、このような場合であっても、使用権限については、前述したような最も単純な場合と全く同様に管理し処理することができる。
【００３０】
【発明の効果】
以上説明したように本発明は、情報提供サーバなどによって情報を提供する際に、提供情報のＩＤ群とその使用形態を特定する機能を示すＩＤ群との２種の情報を組み合わせた独立した管理情報を用意し、これをユーザ情報（あるいは所属グループ情報）と関連付けることにより、各提供情報の特性に適合した使用権限のみを付与することが可能になって、冗長性を排し、簡潔で直感的な情報使用権限管理を行うことができる。これにより、情報提供者は、情報提供サーバに格納された提供情報がどれくらいあり、それぞれがどのような形態で利用できるか、また各ユーザがどの情報に何を行えるのかといった具体的な管理状況を容易に一覧し、把握することができる。同時に、所属グループの改変や、各情報の使用形態の多様化といった使用状況、システムの変化に際しても、使用権限管理の体系自体を変更することなく拡張し、対応することが可能になる。
【図面の簡単な説明】
【図１】本発明の実施の一形態の情報使用権限管理システムの構成を示すブロック図である。
【図２】図１に示すシステムにおける情報使用権限管理の処理を示すシーケンス図である。
【図３】図１に示すシステムにおける所属グループに応じた情報使用権限管理の処理を示すシーケンス図である。
【図４】学習教材を提供する場合におけるユーザ単位での割当済み管理情報の特定を説明する図である。
【図５】学習教材を提供する場合におけるユーザ単位での割当済み管理情報の特定を説明する図である。
【図６】ユーザ単位で管理情報を割り当てる場合の表示画面例を示す図である。
【図７】学習教材を提供する場合におけるグループ単位での割当済み管理情報の特定を説明する図である。
【図８】グループ単位で管理情報を割り当てる場合の表示画面例を示す図である。
【図９】「割り当て機能」の割り当てを説明する図である。
【符号の説明】
１０    情報提供サーバ
１１    ネットワーク
１２    情報端末
１３    学習サーバ
２１    提供情報データベース
２２    ユーザ情報データベース
２３    管理情報データベース
２４    情報提供サーバ制御部
２５    学習教材データベース
２６    学習サーバ制御部
１０１〜１１６    ステップ
【図１】
2004362229.tif 000003
【図２】
2004362229.tif 000004
【図３】
2004362229.tif 000005
【図４】
2004362229.tif 000006
【図５】
2004362229.tif 000007
【図６】
2004362229.tif 000008
【図７】
2004362229.tif 000009
【図８】
2004362229.tif 000010
【図９】
2004362229.tif 000011